(57)【要約】      【課題】 ピンタイプのバックルを、マジックテープを用いたバンドにマジックテープが施されている部分の上から取り付けた場合、ピンタイプバックルの軸部及びピンの一部がマジックテープの接着面を横切ることになり、その部分一帯でのマジックテープの接着力を弱めていた。      【解決手段】 一般的なピンタイプバックルと異なり、軸部及びピンの一部を有さないが、バンドに取り付けた場合の見た目は一般的なピンタイプバックルと同じ作りにしたピンタイプバックル形状の金具を、その裏面に設けたカシメによってバンドに取り付ける。      【選択図】図１
2008148965.tif 000002
【特許請求の範囲】
【請求項１】
一般的なバックルにおいてバックルとバンドを固定する際に、必要なつく棒のバックルをバンドに装着した時に表からみえる部分以外の箇所及びつく棒を回動自在に取り付けた軸部を除去し、別の部分に接着構造を設けることを特徴とするバックル形状の金具。
【請求項２】
前記接着構造は、金具の裏面にカシメを設けそれによって接着させるものとすることを特徴とする請求項１記載のバックル形状の金具。
【発明の詳細な説明】
【技術分野】
【０００１】
この発明は、バックルの装飾的効果を重視し、従来では用いることのできなかったものにもバックルを装着できるようにしたバックル形状の金具に関する。
【背景技術】
【０００２】
従来のバックルの形状は、図９に示すように、一方のバンドＡをバックルの軸部１６に巻きつけてバックルをバンドにとりつけ、軸部に回動自在に取り付けられたつく棒１５をもう一方のバンドＢに設けた穴１９に貫通させた後にバンドＢを枠体１の下をくぐらせることによって、バンドとバックル及び双方のバンドを固定するものである。また、上記の方法以外でバックルとバンド及び双方のバンドを固定するものに、図８に示すように、軸部１６に回動自在な板１７を取り付け、その板と、接着したい側にボタン１８を設けて固定するものがあった。
【発明の開示】
【発明が解決しようとする課題】
【０００３】
しかしながら、上記の技術によれば、マジックテープ（登録商標）を用いてバンドとバンドをつけはずしするように作成されているバンドに、バックルの装飾性を期待して、バックルによってつけはずしするように作成されたバンドのように見せるためにバックルを取り付けようとした場合、図１１に示すように、軸部１６及び軸部に回動自在に取り付けられたつく棒１５の一部が、バンドにつけられたマジックテープの接着面ＣとＤの間に挟まることになり、その部分ではマジックテープの雄と雌が密着することができず、容易にマジックテープがはがれてしまっていた。さらには、図１０に示すように、バンドＡとＢを接着する場合においてマジックテープ部分Ｃがちょうどバックルの軸部の下辺りで終わってしまう場合にはいっそう接着力が弱まっていた。また、図８に示すように、図９に示したような従来のバックル取り付け方法によらなくても、バックルを用いてバンドを固定しているようにみせるためのものに、バックルの軸部１６にボタン１８のついた板１７を回動自在にとりつけておき、そのボタンによってバンドを固定するものがあったが、この場合もやはりマジックテープを用いたときのような利点、つまり身体の不自由な老人や障害者や幼児などにも簡単につけはずしできるという点や、マジックテープのある部分では自在にその接着位置を変えることができるという点を得ることはできなかった。
そこで、この発明は、マジックテープを用いているバンドにもその接着力を弱めることなく、固定することのできるバックルを提供することを課題とする。
【課題を解決するための手段】
【０００４】
以上の課題を解決するために、第一発明は、一般的なバックルのバックルとバンドを固定する際に、必要なつく棒のバックルをバンドに装着した時に表からみえる部分以外の箇所及びつく棒を回動自在に取り付けた軸部を除去し、別の部分に接着構造を設けることを特徴とするバックル形状の金具である。
また、第二発明は、一般的なバックルのバックルとバンドを固定する際に必要な、つく棒の通常バックルをバンドに装着した時に表からみえる部分以外の箇所及びつく棒を回動自在に取り付けた軸部を除去し、別の接着構造として金具の裏面カシメを設けることで接着することを特徴とするバックル形状の金具である。
【発明の効果】
【０００５】
第一発明によれば、マジックテープを用いたバンドの間に位置しその接着効果を妨げることになる物がなくなるので、マジックテープを用いたバンドを、バックルによって取り外しするように作られたバンドのように見せるためにバックルをとりつけたい場合にも、マジックテープの効能を損なうことなくバックルをとりつけることができる。
また、第二発明によれば、取り払ったつく棒およびつく棒を回動自在に固定した軸部のかわりの接着構造として、バックル裏面にカシメを設け、それによって接着せしめることにより、特別な道具などを使うことなく、容易に且つ確実に固定することができる。またマジックテープの接着面の間に位置するものが小さなカシメだけなのでマジックテープの接着力を弱めることにもならない。
【発明を実施するための最良の形態】
【０００６】
この発明の一実施形態を、図１に示す。
バックル形状の金具の枠体１には、通常のバックルを装着した際に表からみえる部分だけを切り取ったつく棒の一部２が取り付けてあり、それは枠体の一部となっている。このバックルの裏面にはカシメ３及び６が設けてあり、それによってバンドとバックル形状金具とを固定することができるようにする。このバックル形状金具の裏面にはカシメの足３及び４が設けてあり、それをバンドに貫通させ、バンドの裏面においてカシメのふた５及び６をかぶせて打ち付けることで、バックル形状金具とバンドとを固定できるようにする。また、このバックル形状金具の材質は、従来からのバックルの材質と同じものでよい。
【０００７】
「実施形態の効果」
この実施形態によれば、図１に示すように、マジックテープを用いているバンドのマジックテープの接着面の間を大きく横切り、マジックテープの接着力を弱める原因となっていた部分が取り払われるので、マジックテープの粘着力を弱めるようなことにはならい。取り払った部分の、通常のバックルを装着した時に表から見える部分、つまりつく棒の一部２は残して枠体１に取り付け、枠体の一部としておくことで見た目にも不自然ではなく、通常のバックルを装着しているように見せることができる。さらに、図２に示すように、金具を取り付けたいマジックテープを用いたバンドに穴７を開けておき、その穴に金具のつく棒の一部２をあわせた箇所で金具を固定する、また例えばバンドの金具の間にくる部分８を少し膨らませておくというようなバンド側の加工により、さらに見た目に不自然さがなくなり、通常のバックルを装着しているのと変わらない装飾的効果を得ることができる。さらに、このバックル形状金具をバンドに装着するための接着構造を、裏面にカシメを設けることとすることの効果は、とりつけ方法が容易であること、確実に固定することができる方法であるということ、マジックテープの接着面の間に位置するものが小さなカシメのふただけなのでマジックテープの接着効果を妨げることにはならないということである。
【０００８】
また、こうしたバックル形状の金具であれば、マジックテープを用いたバンドをつけた靴や鞄、衣服、手袋や帽子、ベルトといったものにも簡単に取り付けることができ、その製品の見栄えを良くしたりファッション性を高めることができる。
またさらに、マジックテープを用いたバンドに限らなくても、通常ではバックルの取り付けが困難である場所、例えばミシンの届かない場所や、縫いつけるには細かい場所などにも、取り付けることができる。
【０００９】
そして例えば、従来から右もしくは左半身に麻痺を抱える人のための靴を作る際には、着脱しやすいということからバンドにはマジックテープが用いられ、麻痺のある半身側に履く靴のバンドの着脱方向が内側から外側に向けて着脱するという一般的な靴のバンドの着脱方向と同じだと、麻痺を抱える人にとっては着脱するのが困難であるという理由から、図７に示すように、ｊ及びｈをバンドを縫い付け、ｉ及びｇを着脱箇所にするというふうに、麻痺のないほうの手で着脱しやすい左右同一方向にバンドがとりつけられることがあったのだが、これだと一般的な靴と違ってバンドの着脱方向が左右とも同じであることが一目瞭然であり、見た目が不自然であった。しかし、図６に示すように、片方の靴では上記のバックル形状金具ｂを取り付けたマジックテープ付きのバンドをｃの部分で靴に直接固定してａの部分を着脱箇所とし、もう一方の靴では従来のバックルｅをとりつけたバンドをｄの部分で靴に直接固定し、ｆの部分の裏面にマジックテープをとりつけ、そこを着脱箇所とすることで、一般的な靴と変わらぬ見た目にすることができ、さらにファッション性を高めることができる。
【００１０】
「他の実施形態」
図１の実施形態では、取り払ったつく棒及びつく棒を回動自在に取り付けた軸部に替わる接着構造は枠体の裏面に設けたカシメであったが、他の実施形態では、図３及び図４に示すように、その接着構造は金具の裏面に、折り曲げて固定することのできる材質で作られた小さな突起物９及び１０を設け、それを取り付けたいバンドに貫通させた後にバンドの裏面において折り曲げるもの、また図４に示すようにバックル形状金具の側面の延長部１１及び１２を折り曲げ可能な構造にしておき、取り付けたいバンドに合わせてバンドを挟み込むようにしておりまげるという構造でも良い。
【図面の簡単な説明】
【００１１】
【図１】この発明の一実施形態を示す図である。
【図２】この発明の他の実施形態を示す斜視図である。
【図３】この発明の他の実施形態を示す図である。
【図４】この発明の他の実施形態を示す斜視図である。
【図５】この発明の他の実施形態を示す斜視図である。
【図６】この発明を使用した例を示す図である。
【図７】従来技術を示す図である。
【図８】従来技術を示す図である。
【図９】従来技術を示す斜視図である。
【図１０】従来技術を示す図である。
【図１１】従来技術を示す図である。
【符号の説明】
【００１２】
１  枠体                                ２  つく棒の一部を切り取ったもの
３〜６  カシメ                          ７  バンドにあけた穴
８  バンドを膨らました部分              ９〜１２  折り曲げ可能な突起物
１３〜１４  折り曲げ可能な枠体の延長    １５  軸部に回動自在に取り付けられたつく部
１６  軸部                              １７  軸部に回動自在に取り付けられた板
１８  ボタン                            １９  バンドにあけた穴
Ａ〜Ｂ  バンド                          Ｃ〜Ｄ  マジックテープ  
ａ  バンドの端                          ｂ  発明品  
ｃ  バンドの固定部                      ｄ  バンドの固定部
ｅ  従来のバックル                      ｆ  バンドの端
ｇ  バンドの端                          ｈ  バンドの固定部
ｉ  バンドの端                          ｊ  バンドの固定部
【図１】
2008148965.tif 000003
【図２】
2008148965.tif 000004
【図３】
2008148965.tif 000005
【図４】
2008148965.tif 000006
【図５】
2008148965.tif 000007
【図６】
2008148965.tif 000008
【図７】
2008148965.tif 000009
【図８】
2008148965.tif 000010
【図９】
2008148965.tif 000011
【図１０】
2008148965.tif 000012
【図１１】
2008148965.tif 000013
【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
一般的なピンタイプのバックルと異なり、軸部及びそれに回動自在に取り付けられたピンを除去してあるが、装着時の見た目は一般的なピンタイプバックルと変わらないピンタイプバックル形状の金具。
【請求項２】
請求項１記載のピンタイプバックル形状の金具を、その裏面に設けたカシメによって取り付けるという方法。
【請求項３】
請求項１記載のピンタイプバックル形状の金具を、請求項２記載の方法によって取り付けたマジックテープ（登録商標）つきのバンド。
【請求項４】
請求項３記載のバンドを用いた靴。
【手続補正２】
【補正対象書類名】明細書
【補正対象項目名】全文
【補正方法】変更
【補正の内容】
【発明の詳細な説明】
【技術分野】
【０００１】
この発明は、バックルの装飾的効果を重視しており、装着すると一般的なピンタイプのバックルと同じ見た目でありながらも、従来のものだと取り付けることのできなかった箇所にも装着できるピンタイプバックル形状の金具に関する。
【背景技術】
【０００２】
従来のピンタイプバックルは、図９に示すように、一方のバンドＡをバックルの軸部１６に巻き付けてバックルをバンドにとりつけ、軸部に回動自在に取り付けられたピン１５をもう一方のバンドＢに設けた穴１９に貫通させた後にバンドＢを枠体１の下をくぐらせることによって、バンドとバックル及び双方のバンドを固定するものである。
【０００３】
また、上記の方法以外でバックルとバンド及び双方のバンドを固定するものとして、図８に示すように、軸部１６に回動自在な板１７を取り付け、その板と、接着したい側にボタン１８を設けて固定するものがあった。
【発明の開示】
【発明が解決しようとする課題】
【０００４】
しかしながら、上記の技術によれば、ピンタイプバックルの装飾性を期待して、マジックテープ（登録商標）を用いたバンドに、マジックテープを施した箇所の上から、ピンタイプバックルを取り付けようとした場合、図１１に示すように、軸部１６及び軸部に回動自在に取り付けられたピン１５の一部が、バンドにつけられたマジックテープの接着面ＣとＤの間を横切ることになり、その部分一帯ではマジックテープが密着することができず、容易にはがれてしまっていた。さらには、図１０に示すように、バンドＡとＢを接着する場合においてマジックテープ部分Ｃがちょうどバックルの軸部の下辺りで終わってしまう場合にはいっそう接着力が弱まっていた。また、図９に示したような従来のバックル取り付け方法によらなくても、バックルを用いてバンドを固定しているようにみせるためのものに、図８に示すように、バックルの軸部１６にボタン１８のついた板１７を回動自在にとりつけておき、そのボタンによってバンドを固定するものがあったが、この場合もやはりマジックテープを用いたときのような利点、つまり身体の不自由な老人や障害者や幼児などにも簡単につけはずしできるという利点や、マジックテープのある部分では自在にその接着位置を変えることができるという利点を得ることはできなかった。
そこで、この発明は、マジックテープを用いたバンドにもその接着力を弱めることなく、取り付けることのできるピンタイプバックルを提供することを課題とする。
【課題を解決するための手段】
【０００５】
以上の課題を解決するために、第一発明は、一般的なピンタイプバックルと異なり、中央にある軸部及びそれに回動自在に取り付けられたピンを有さないが、装着時の見た目は一般的なピンタイプバックルと変わらないものであることを特徴とするピンタイプバックル形状の金具である。
また、第二発明は、第一発明の金具を取り付ける際は、金具の裏面に設けたカシメによることを特徴とする方法である。
また、第三発明は、第一発明の金具を第二発明の方法によって取り付けたマジックテープ（登録商標）つきのバンドである。
また、第四発明は、第三発明のバンドを用いたことを特徴とする靴である。
【発明の効果】
【０００６】
第一発明によれば、マジックテープを用いたバンドの間に位置し、その接着面を横切って、接着効果を妨げることになる物がなくなるので、マジックテープを用いたバンドに、マジックテープを施した箇所の上から、その装飾的効果を期待してピンタイプバックルを取り付けたいような場合にも、マジックテープの効能を損なうことなくとりつけることができる。
【０００７】
また、第二発明によれば、取り付け方法をバックル裏面に設けたカシメによるものとすることで、特別な道具などを使うことなく、容易にかつ確実にとりつけることができる。また、マジックテープの接着面の間に位置する物が小さなカシメだけなのでマジックテープの接着力を弱めることにもならない。さらに、挟み込んで打ち付けるだけの構造なので、すでに完成している製品にも後付が可能である。
【０００８】
第三発明によれば、バンドの表側からの見た目は一般的なピンタイプバックルを取り付けているのと変わらないものでありながら、マジックテープ面の接着力が弱まっていないので、例えば靴や鞄や衣服など、ファッション性が求められ、且つきちんと固定する必要のある物のバンドとして使用することができる。
【０００９】
第四発明の靴であれば、バンドにマジックテープを用いているので、細かい作業が困難な老人や障害者、幼児でも簡単にバンドの付けはずしができる。さらに、マジックテープは自由に接着位置を変えることができるので、足に障害があり、日々の体調によって足の形に変化のあるような人でも靴を足にフィットさせることができる。そして靴の場合、歩行などの動きが加わってもバンドがはがれないようにマジックテープ面がきちんと接着されている必要があるが、本発明品にはマジックテープの接着力を弱めることのないピンタイプバックル形状の金具を用いているので、容易にバンドがはずれてしまうというようなことはない。しかも、ピンタイプバックル形状の金具は装着時には一般的なピンタイプバックルと同じ見た目であるので、今まで身体に不自由があるために、見た目に満足できない靴を履かざるを得なかった人々にとってお洒落の幅が拡がる。殊に、フォーマルな装いが必要な冠婚葬祭の時等に履く靴として有効である。さらに、足に障害がある人やお年寄りは、障害があるとか年寄りであるというふうに周りから見られるのを嫌だと思うことがしばしばである。軽度の障害である方や初老の方は特にそうである。そういった人々にとっての社会性を保つ上でも本発明品は有効である。
【発明を実施するための最良の形態】
【００１０】
この発明の一実施形態を、図１に示す。
ピンタイプバックル形状の金具の枠体１には、一般的なピンタイプのバックルでいうところの、軸部に回動自在についているピンのうち、装着した際に表から見える部分だけを切り取った部分２が取り付けてあり、それは枠体の一部となっている。このバックルの裏面にはカシメ３ないし６が設けてあり、それによって取り付けたい箇所にピンタイプバックル形状の金具を装着することができるようにする。また、このピンタイプバックル形状の金具の材質は、従来からの一般的なピンタイプバックルの材質と同じもので問題はない。
【００１１】
「実施形態の効果」
この実施形態によれば、図１に示すように、マジックテープを用いているバンドのマジックテープの接着面の間を大きく横切り、マジックテープの接着力を弱める原因となっていた部分が存在しないので、マジックテープの粘着力を弱めることにはならない。また、一般的なピンタイプバックルでいうところの、軸部に回動自在についているピンのうち、装着した際に表から見える部分２だけは枠体１の一部として存在しているので、見た目にも不自然ではなく、一般的なピンタイプのバックルを装着しているのと同じ装飾的効果を得ることができる。さらに、例えば図２に示すようにマジックテープを用いたバンドに穴７を開けておき、金具の２の部分が穴７の下から貫通してきているように見える位置で金具を取り付けたり、また例えば、金具の間にくる部分８を少し膨らませておくというようなバンド側への加工により、より一層見た目に不自然さがなくなる。また、このピンタイプバックル形状の金具をバンドに取り付けるための構造を、裏面に設けたカシメとすることの効果は、取り付け方法が簡単であること、確実に固定できる方法であるということ、マジックテープの接着面の間に位置するものが小さなカシメのふただけなのでマジックテープの接着力を弱めることにはならないということ、打ち付けるだけなのですでに完成している製品、例えば靴や鞄のバンド等にも後付けが可能であるということである。
【００１２】
また、こうしたピンタイプバックル形状の金具であれば、マジックテープを用いたバンドに限らず、通常ではバックルの取り付けが困難である場所、例えばミシンの届かない場所や縫い付けるには細かい場所などにも取り付けることができる。
【００１３】
以下、本発明のピンタイプバックル形状金具が有効となる例を示す。まず、バンドにピンタイプのバックルを用いたフォーマルでオシャレな靴が欲しいが、身体に自由が利かないために脱ぎ履きのしやすいマジックテープを用いた靴を選ばざるを得ないという場合。本発明品はカシメによって取り付ける構造であり、既製品にも後付けできるので、既製のもので気に入った履きやすい靴を見つけたら、その靴のバンドの好きな位置に取り付けることができ、さらには現在手持ちの靴に取り付けることも可能である。もちろん、オーダーメイドなど靴の製造途中に取り付けることも可能である。
【００１４】
次に、身体に麻痺を抱える人の場合。従来から、身体に麻痺を抱える人のための靴を作る際には、着脱しやすいということからバンドにはマジックテープが用いられている。そして、左右どちらかに麻痺のある人については、麻痺のある半身側に履く靴のバンドの着脱方向が、体の内側から外側に向かって着脱するという一般的な靴のバンドの着脱方向と同じでは着脱するのが困難であるという理由から、図７に示すように、ｊ及びｈでバンドを縫い付け、ｉ及びｇを着脱箇所にするというふうに、麻痺のないほうの手で着脱しやすい左右同一の方向にバンドが取り付けられることがあった。しかし、これだと一般的な靴と違ってバンドの着脱方向が同じであるということが一目瞭然であり、見た目が不自然であった。そこで、このような場合に本発明品を用いる。つまり、図６に示すように、片方の靴には本発明品であるピンタイプバックル形状の金具ｂを取り付けたマジックテープ付のバンドをｃの部分で靴に直接固定してａの部分を着脱箇所とし、もう一方の靴には従来からの一般的なピンタイプバックルｅを取り付けたバンドをｄの部分で靴に直接固定し、マジックテープが付いているｆの部分を着脱箇所とする。そうすると、着脱方向は同じでありながら、一般的な靴と変わらぬ見た目にすることができ、さらにファッション性を高めることができるので、身体に障害を持つ人々にとってのお洒落の幅が拡がる。
【００１５】
「他の実施形態」
図１の実施形態では、ピンタイプバックル形状の金具を取り付ける構造は枠体の裏面に設けたカシメであったが、他の実施形態では、図３及び図４に示すように、金具の裏面に折り曲げて固定することのできる材質で作られた小さな突起物９ないし１２を設け、それを取り付けたい箇所に貫通させた後にその裏面において折り曲げるものでも良い。また、図５に示すようにバックル形状金具の側面の延長部１３及び１４を折り曲げ可能な材質・構造にしておき、取り付けたいバンドに合わせてバンドを挟み込むようにして折り曲げるというものでも良い。なお、これらの方法でも既製品への後付けが可能である。
【手続補正書】
【提出日】平成19年10月17日(2007.10.17)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】
この発明は、バックルの装飾的効果を重視しており、装着すると一般的なピンタイプのバックルと同じ見た目であり
ながらも、従来のものだと取り付けることのできなかった箇所にも装着できるピンタイプバックル形状の金具に関する。
【背景技術】
【０００２】
従来のピンタイプバックルは、図９に示すように、一方のバンドＡをバックルの軸部１６に巻き付けてバックルをバンドにとりつけ、軸部に回動自在に取り付けられたピン１５をもう一方のバンドＢに設けた穴１９に貫通させた後にバンドＢを枠体１の下をくぐらせることによって、バンドとバックル及び双方のバンドを固定するものである。
【０００３】
また、上記の方法以外でバックルとバンド及び双方のバンドを固定するものとして、図８に示すように、軸部１６に回動自在な板１７を取り付け、その板と、接着したい側にボタン１８を設けて固定するものがあった。
【発明の開示】
【発明が解決しようとする課題】
【０００４】
しかしながら、上記の技術によれば、ピンタイプバックルの装飾性を期待して、マジックテープ（登録商標）を用いたバンドに、マジックテープを施した箇所の上から、ピンタイプバックルを取り付けようとした場合、図１１に示すように、軸部１６及び軸部に回動自在に取り付けられたピン１５の一部が、バンドにつけられたマジックテープの接着面ＣとＤの間を横切ることになり、その部分一帯ではマジックテープが密着することができず、容易にはがれてしまっていた。さらには、図１０に示すように、バンドＡとＢを接着する場合においてマジックテープ部分Ｃがちょうどバックルの軸部の下辺りで終わってしまう場合にはいっそう接着力が弱まっていた。また、図９に示したような従来のバックル取り付け方法によらなくても、バックルを用いてバンドを固定しているようにみせるためのものに、図８に示すように、バックルの軸部１６にボタン１８のついた板１７を回動自在にとりつけておき、そのボタンによってバンドを固定するものがあったが、この場合もやはりマジックテープを用いたときのような利点、つまり身体の不自由な老人や障害者や幼児などにも簡単につけはずしできるという利点や、マジックテープのある部分では自在にその接着位置を変えることができるという利点を得ることはできなかった。
そこで、この発明は、マジックテープを用いたバンドにもその接着力を弱めることなく、取り付けることのできるピンタイプバックルを提供することを課題とする。
【課題を解決するための手段】
【０００５】
以上の課題を解決するために、第一発明は、一般的なピンタイプバックルと異なり、中央にある軸部及びそれに回動自在に取り付けられたピンを有さないが、装着時の見た目は一般的なピンタイプバックルと変わらないものであることを特徴とするピンタイプバックル形状の金具である。
また、第二発明は、第一発明の金具を取り付ける際は、金具の裏面に設けたカシメによることを特徴とする方法である。
また、第三発明は、第一発明の金具を第二発明の方法によって取り付けたマジックテープ（登録商標）つきのバンドである。
また、第四発明は、第三発明のバンドを用いたことを特徴とする靴である。
【発明の効果】
【０００６】
第一発明によれば、マジックテープを用いたバンドの間に位置し、その接着面を横切って、接着効果を妨げることになる物がなくなるので、マジックテープを用いたバンドに、マジックテープを施した箇所の上から、その装飾的効果を期待してピンタイプバックルを取り付けたいような場合にも、マジックテープの効能を損なうことなくとりつけることができる。
【０００７】
また、第二発明によれば、取り付け方法をバックル裏面に設けたカシメによるものとすることで、特別な道具などを使うことなく、容易にかつ確実にとりつけることができる。また、マジックテープの接着面の間に位置する物が小さなカシメだけなのでマジックテープの接着力を弱めることにもならない。さらに、挟み込んで打ち付けるだけの構造なので、すでに完成している製品にも後付が可能である。
【０００８】
第三発明によれば、バンドの表側からの見た目は一般的なピンタイプバックルを取り付けているのと変わらないものでありながら、マジックテープ面の接着力が弱まっていないので、例えば靴や鞄や衣服など、ファッション性が求められ、且つきちんと固定する必要のある物のバンドとして使用することができる。
【０００９】
第四発明の靴であれば、バンドにマジックテープを用いているので、細かい作業が困難な老人や障害者、幼児でも簡単にバンドの付けはずしができる。さらに、マジックテープは自由に接着位置を変えることができるので、足に障害があり、日々の体調によって足の形に変化のあるような人でも靴を足にフィットさせることができる。そして靴の場合、歩行などの動きが加わってもバンドがはがれないようにマジックテープ面がきちんと接着されている必要があるが、本発明品にはマジックテープの接着力を弱めることのないピンタイプバックル形状の金具を用いているので、容易にバンドがはずれてしまうというようなことはない。しかも、ピンタイプバックル形状の金具は装着時には一般的なピンタイプバックルと同じ見た目であるので、今まで身体に不自由があるために、見た目に満足できない靴を履かざるを得なかった人々にとってお洒落の幅が拡がる。殊に、フォーマルな装いが必要な冠婚葬祭の時等に履く靴として有効である。さらに、足に障害がある人やお年寄りは、障害があるとか年寄りであるというふうに周りから見られるのを嫌だと思うことがしばしばである。軽度の障害である方や初老の方は特にそうである。そういった人々にとっての社会性を保つ上でも本発明品は有効である。
【発明を実施するための最良の形態】
【００１０】
この発明の一実施形態を、図１に示す。
ピンタイプバックル形状の金具の枠体１には、一般的なピンタイプのバックルでいうところの、軸部に回動自在についているピンのうち、装着した際に表から見える部分だけを切り取った部分２が取り付けてあり、それは枠体の一部となっている。このバックルの裏面にはカシメ３ないし６が設けてあり、それによって取り付けたい箇所にピンタイプバックル形状の金具を装着することができるようにする。また、このピンタイプバックル形状の金具の材質は、従来からの一般的なピンタイプバックルの材質と同じもので問題はない。
【００１１】
「実施形態の効果」
この実施形態によれば、図１に示すように、マジックテープを用いているバンドのマジックテープの接着面の間を大きく横切り、マジックテープの接着力を弱める原因となっていた部分が存在しないので、マジックテープの粘着力を弱めることにはならない。また、一般的なピンタイプバックルでいうところの、軸部に回動自在についているピンのうち、装着した際に表から見える部分２だけは枠体１の一部として存在しているので、見た目にも不自然ではなく、一般的なピンタイプのバックルを装着しているのと同じ装飾的効果を得ることができる。さらに、例えば図２に示すようにマジックテープを用いたバンドに穴７を開けておき、金具の２の部分が穴７の下から貫通してきているように見える位置で金具を取り付けたり、また例えば、金具の間にくる部分８を少し膨らませておくというようなバンド側への加工により、より一層見た目に不自然さがなくなる。また、このピンタイプバックル形状の金具をバンドに取り付けるための構造を、裏面に設けたカシメとすることの効果は、取り付け方法が簡単であること、確実に固定できる方法であるということ、マジックテープの接着面の間に位置するものが小さなカシメのふただけなのでマジックテープの接着力を弱めることにはならないということ、打ち付けるだけなのですでに完成している製品、例えば靴や鞄のバンド等にも後付けが可能であるということである。
【００１２】
また、こうしたピンタイプバックル形状の金具であれば、マジックテープを用いたバンドに限らず、通常ではバックルの取り付けが困難である場所、例えばミシンの届かない場所や縫い付けるには細かい場所などにも取り付けることができる。
【００１３】
以下、本発明のピンタイプバックル形状金具が有効となる例を示す。まず、バンドにピンタイプのバックルを用いたフォーマルでオシャレな靴が欲しいが、身体に自由が利かないために脱ぎ履きのしやすいマジックテープを用いた靴を選ばざるを得ないという場合。本発明品はカシメによって取り付ける構造であり、既製品にも後付けできるので、既製のもので気に入った履きやすい靴を見つけたら、その靴のバンドの好きな位置に取り付けることができ、さらには現在手持ちの靴に取り付けることも可能である。もちろん、オーダーメイドなど靴の製造途中に取り付けることも可能である。
【００１４】
次に、身体に麻痺を抱える人の場合。従来から、身体に麻痺を抱える人のための靴を作る際には、着脱しやすいということからバンドにはマジックテープが用いられている。そして、左右どちらかに麻痺のある人については、麻痺のある半身側に履く靴のバンドの着脱方向が、体の内側から外側に向かって着脱するという一般的な靴のバンドの着脱方向と同じでは着脱するのが困難であるという理由から、図７に示すように、ｊ及びｈでバンドを縫い付け、ｉ及びｇを着脱箇所にするというふうに、麻痺のないほうの手で着脱しやすい左右同一の方向にバンドが取り付けられることがあった。しかし、これだと一般的な靴と違ってバンドの着脱方向が同じであるということが一目瞭然であり、見た目が不自然であった。そこで、このような場合に本発明品を用いる。つまり、図６に示すように、片方の靴には本発明品であるピンタイプバックル形状の金具ｂを取り付けたマジックテープ付のバンドをｃの部分で靴に直接固定してａの部分を着脱箇所とし、もう一方の靴には従来からの一般的なピンタイプバックルｅを取り付けたバンドをｄの部分で靴に直接固定し、マジックテープが付いているｆの部分を着脱箇所とする。そうすると、着脱方向は同じでありながら、一般的な靴と変わらぬ見た目にすることができ、さらにファッション性を高めることができるので、身体に障害を持つ人々にとってのお洒落の幅が拡がる。
【００１５】
「他の実施形態」
図１の実施形態では、ピンタイプバックル形状の金具を取り付ける構造は枠体の裏面に設けたカシメであったが、他の実施形態では、図３及び図４に示すように、金具の裏面に折り曲げて固定することのできる材質で作られた小さな突起物９ないし１２を設け、それを取り付けたい箇所に貫通させた後にその裏面において折り曲げるものでも良い。また、図５に示すようにバックル形状金具の側面の延長部１３及び１４を折り曲げ可能な材質・構造にしておき、取り付けたいバンドに合わせてバンドを挟み込むようにして折り曲げるというものでも良い。なお、これらの方法でも既製品への後付けが可能である。
【図面の簡単な説明】
【００１６】
【図１】この発明の一実施形態を示す図である。
【図２】この発明の他の実施形態を示す斜視図である。
【図３】この発明の他の実施形態を示す図である。
【図４】この発明の他の実施形態を示す斜視図である。
【図５】この発明の他の実施形態を示す斜視図である。
【図６】この発明を使用した例を示す図である。
【図７】従来技術を示す図である。
【図８】従来技術を示す図である。
【図９】従来技術を示す斜視図である。
【図１０】従来技術を示す図である。
【図１１】従来技術を示す図である。
【符号の説明】
【００１７】
１  枠体                          
２  ピンの一部を切り取ったもの
３〜６  カシメ                      
７  バンドにあけた穴
８  バンドを膨らました部分            
９〜１２  折り曲げ可能な突起物
１３〜１４  折り曲げ可能な枠体の延長
１５  軸部に回動自在に取り付けられたピン
１６  軸部                            
１７  軸部に回動自在に取り付けられた板
１８  ボタン                          
１９  バンドにあけた穴
Ａ〜Ｂ  バンド                        
Ｃ〜Ｄ  マジックテープ  
ａ  バンドの端                        
ｂ  発明品  
ｃ  バンドの固定部                    
ｄ  バンドの固定部
ｅ  従来のバックル                    
ｆ  バンドの端
ｇ  バンドの端                      
ｈ  バンドの固定部
ｉ  バンドの端                        
ｊ  バンドの固定部
【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
軸部に回動自在に取り付けられたピンの一部を枠体に取付け、それ以外のピン及び軸部を除去したピンタイプバックル形状の金具
【請求項２】
請求項１記載のピンタイプバックル形状の金具において、枠体に取付構造を設けたピンタイプバックル形状の金具
【請求項３】
請求項１又は請求項２記載のピンタイプバックル形状の金具を、マジックテープ（登録商標）を設けたバンドに取り付けるという使用法
【請求項４】
右足も左足もバンドを締め上げる方向が同一である靴のマジックバンド（登録商標）に、請求項１又は請求項２記載のピンタイプバックル形状の金具を取り付けるという使用法
【手続補正２】
【補正対象書類名】明細書
【補正対象項目名】全文
【補正方法】変更
【補正の内容】
【発明の詳細な説明】
【技術分野】
【０００１】
この発明は、ピンタイプバックル形状の金具及びその取付方法と使用方法に関する。
【背景技術】
【０００２】
従来のピンタイプバックルは、図９に示すように、一方のバンドＡをバックルの軸部１６に巻き付けてバックルをバンドにとりつけ、軸部に回動自在に取り付けられたピン１５をもう一方のバンドＢに設けた穴１９に貫通させた後にバンドＢを枠体１の下をくぐらせることによって、バンドとバックル及び双方のバンドを固定するものである。
【０００３】
また、上記の方法以外でバックルとバンド及び双方のバンドを固定するものとして、図８に示すように、軸部１６に回動自在な板１７を取り付け、その板と、接着したい側にボタン１８を設けて固定するものがあった。
【発明の開示】
【発明が解決しようとする課題】
【０００４】
しかしながら上記の技術によれば、バックルをバンドに取り付けた時には、必ず、バンドの下に軸部及びピンの一部が位置することになる。近年、バックルはその装飾的効果を期待して取り付けらる場合が多く、装飾的効果のみを期待する場合もあるが、そのような時には取り付けた時にバンドの下になり隠れてしまう部分は不要かつ邪魔である。通常、バックルは金属など硬い材質でつくられており、服や靴など身体に触れる物のバンドに取り付けた時にはバンドの下に位置する部分に違和感を感じ、さらには痛みを感じることもあった。さらに、マジックテープ（登録商標）を用いたバンドに、マジックテープを施した箇所の上から、同じく装飾的効果を期待してピンタイプバックルを取り付けようとした場合には、図１１に示すように、軸部１６及び軸部に回動自在に取り付けられたピン１５の一部が、バンドにつけられたマジックテープの接着面ＣとＤの間を横切ることになり、その部分一帯ではマジックテープが密着することができず、容易にはがれてしまっていた。そしてさらに、図１０に示すように、バンドＡとＢを接着する場合においてマジックテープ部分Ｃがちょうどバックルの軸部の下辺りで終わってしまう場合にはいっそう接着力が弱まっていた。つまり、このようなものは、特に靴のバンドなど動きの加わる部分に使用するマジックバンドには取り付けることが出来なかった。また、装飾的効果を期待してバックルをとりつけるものに、図８のような、バックルの軸部１６にボタン１８のついた板１７を回動自在にとりつけておき、そのボタンによってバンドを固定するものがあった。しかしこれは固定位置がボタンを取り付けた位置に限られるものであり、マジックテープ上に取り付けたとしても、マジックテープを用いたときのような利点、つまり身体の不自由な老人や障害者や幼児などにも簡単につけはずしできるという利点や、マジックテープのある部分では自在にその接着位置を変えることができるという利点等を得ることはできなかった。
そこで、この発明は、装飾的効果を期待してバックルを取り付ける際にも邪魔となる部分がなく、さらに、マジックテープを用いたバンドにもその接着力を弱めることなく取り付けることのできるピンタイプバックルを提供することを課題とする。
【課題を解決するための手段】
【０００５】
以上の課題を解決するために、第一発明は、軸部に回動自在に取り付けられたピンの一部は枠体に取付け、それ以外のピン及び軸部を除去したことを特徴とするピンタイプバックル形状の金具である。なお、軸部に回動自在に取り付けられたピンの一部とは、一般的なバックルでいうところの、バンドに装着した時にバンドに隠れず表から見える部分である。
また、第二発明は、請求項１記載のピンタイプバックル形状の金具において、枠体に取付構造を設けることにより、枠体自体をバンドに固定することを特徴とするピンタイプバックル形状の金具である。
また、第三発明は、請求項１又は請求項２記載のピンタイプバックル形状の金具を、マジックテープを設けたバンドに取り付けるということを特徴とする使用法である。
また、第四発明は、右足も左足もバンドを締め上げる方向が同一である靴のバンドに、請求項１又は請求項２記載のピンタイプバックル形状の金具を取り付けることを特徴とする使用法である。
【発明の効果】
【０００６】
第一発明によれば、装着した状態ではバンドに隠れて表からは見えない、軸部及びそれに回動自在に取り付けられたピンつまりバンドの下に位置する部分が除去されているので、身につけるもの、例えば服や靴に使用されているバンドに取り付けた場合にも、身体側に位置する部分が身体に当たって違和感又は痛みを感じるということがない。さらに、マジックテープを用いたバンドのマジックテープを施した部分上に取り付けるような場合にも、マジックテープの接着面を横切るものを有しないので、マジックテープの接着力を損なうことなく取り付けることができる。
【０００７】
また、第二発明によれば、枠体に接着構造を設けておくことで、今までのようにピンをバンドに貫通させて固定する時には必要であった部分、即ち装着時にはバンドの下に隠れる部分を除去してあっても、簡単にバックルをバンドに取り付けることが出来る。なお、接着構造の例については後述する。
【０００８】
第三発明によれば、マジックテープを用いたバンドのマジックテープをつけている位置上に、第一発明または第二発明のピンタイプバックル形状の金具を取り付けることで、マジックテープの接着力を損なうことなく、バックルの持つ装飾的効果を得ることができる。特に、靴など動きの加わる部分に使用されるマジックテープに取り付けると有効である。
【０００９】
また、第四発明によれば、片方の手しか自由がきかない人のために作られたような、右足の靴も左足の靴も同一の方向にバンドを締め上げる靴について、それぞれの靴のバンドの、足の小指側に、第一発明又は第二発明のピンタイプバックル形状の金具を取り付けることで、見た目が不自然であったそのような靴を普通の靴と変わりない靴に見せることができる。靴というのは機能性だけではなく、ファッション性が求められるものであるからして、年齢・身体障害など何らかの事情により、その見た目に満足できない靴を履かざるを得なかった人にとって、オシャレの幅が広がり非常に有効である。この発明の詳細については具体例として後述する。
【発明を実施するための最良の形態】
【００１０】
この発明の一実施形態を、図１に示す。
ピンタイプバックル形状の金具の枠体１には、一般的なピンタイプのバックルでいうところの、軸部に回動自在についているピンのうち、装着した際に表から見える部分だけを切り取った部分２が取り付けてあり、それは枠体の一部となっている。このバックルの枠体には接着構造がもうけられている。ここでは、枠体の裏面にカシメ３ないし６を設けたものを記す。カシメとすることの効果は、取り付け方法が簡単であること、確実に固定できる方法であるということ、マジックテープの接着面の間に位置するものが触れても違和感を感じないほどの小さなカシメのフタだけなのでマジックテープの接着力を弱めることにもならず、違和感の原因となることもないということ、打ち付けるだけなのですでに完成している製品、例えば靴や鞄のバンド等にも後付けが可能であるということである。因みに、これはその取付構造をカシメに限定するものではない。また、このピンタイプバックル形状の金具の材質は、従来からの一般的なピンタイプバックルの材質と同じもので問題はなく、作成方法については、ピンの一部を切り取ったものを枠体に取り付けても良いし、始めからピンの一部と枠体を一体化したものとして作成しても良い。
【００１１】
「実施形態の効果」
この実施形態によれば、図１に示すように、バンドの下に位置する部分を除去してあるので、それによって生じていた違和感又は痛みの解消が可能である。そしてマジックテープを用いているバンドへの装着時にはマジックテープの接着面の間を大きく横切りマジックテープの接着力を弱める原因となっていた部分が存在しないので、マジックテープの接着力を弱めることがない。また、一般的なピンタイプバックルでいうところの、軸部に回動自在についているピンのうち、装着した際に表から見える部分２は枠体１の一部として存在しているので、見た目に不自然ではなく、一般的なピンタイプのバックルを装着しているのと同じ装飾的効果を得ることができる。さらに、例えば図２に示すようにマジックテープを用いたバンドに穴７を開けておき、実際には貫通していなくても金具の２の部分が穴７の下から貫通してきているかのように見える位置で金具を取り付けたり、また例えば、金具の間にくる部分８を少し膨らませておくというようなバンド側への加工により、より一層見た目に不自然さがなくなる。
【００１２】
また、こうしたピンタイプバックル形状の金具であれば、マジックテープを用いたバンドに限らず、通常ではバックルの取り付けが困難である場所、例えばミシンの届かない場所や縫い付けるには細かい場所などにも取り付けることができる。
【００１３】
以下、本発明のピンタイプバックル形状の金具が有効となる具体例を示す。まず、バンドにピンタイプのバックルを用いたフォーマルでオシャレな靴が欲しいが、身体に自由が利かないために着脱のしやすいマジックテープを用いた靴を選ばざるを得ないという場合。マジックテープでの着脱を余儀なくされるのは老人や障害者である場合が多いが、そういった人々、特に障害が軽度である人や初老の人は、自分が障害者であるとか老人であるというふうに周りから見られることを嫌う。本発明品はバックルの装飾的効果を持っており、且つマジックテープの接着力を弱めることにならないものであるので、楽に着脱できるがしっかり固定できるというマジックテープを用いたバンドの機能を損なうことなく、見た目はバックルを用いたバンドであるようにフォーマルな印象の靴にすることができ、オシャレの幅が拡がる。やはり冠婚葬祭などではバックルを使用したフォーマルな靴が適切な場合があり、バンドにマジックテープを用いた靴を選ばざるを得ない人の社会性を保つ上でも、本発明品は有効である。さらに、本発明品は金具の枠体自体をバンドの上から取り付ける構造であり、既製品にも後付けできるので、既製のもので気に入った履きやすい靴を見つけたら、その靴のバンドの好きな位置に取り付けることができ、さらには現在手持ちの靴に取り付けることも可能である。もちろん、オーダーメイドなど靴の製造途中に取り付けることも可能である。また、特に足に障害を持つ人の場合に多いのだが、歩行などの動作中に、一般的なピンタイプバックルだと、バンドの下に位置する部分が足にあたることで違和感や痛みを感じるという問題も解消することができる。
【００１４】
次に、身体に麻痺を抱える人の場合。以下に示すのは、第四発名の詳細説明でもある。従来から、身体に麻痺を抱える人のための靴を作る際には、着脱しやすいということからバンドにはマジックテープが用いられる。そして、左右どちらかに麻痺のある人については、麻痺のない片方の手で作業を行わなければならず、麻痺のある半身側に履く靴のバンドの着脱方向が、体の内側から外側に向かって着脱するという一般的な靴のバンドの着脱方向と同じでは着脱するのが困難である。そこで、図７に示すように、ｊ及びｈでバンドを縫い付け、ｉ及びｇを着脱箇所にするというふうに、麻痺のないほうの手で着脱しやすい左右同一の方向にバンドが取り付けることでこの問題を解消する。しかし、これだと一般的な靴と違ってバンドの着脱方向が同じであるということが一目瞭然であり、見た目が不自然である。そこで、さらにこのような場合に本発明品を用いる。つまり、図６に示すように、片方の靴には本発明品であるピンタイプバックル形状の金具ｂを取り付けたマジックテープ付のバンドをｃの部分で靴に直接固定してａの部分を着脱箇所とし、もう一方の靴には従来からの一般的なピンタイプバックルｅを取り付けたバンドをｄの部分で靴に直接固定し、マジックテープが付いているｆの部分を着脱箇所とする。そうすると、着脱方向は同じでありながら、一般的な靴と変わらぬ見た目にすることができ、ファッション性を高めることができるので、身体に障害を持つ人々にとってのお洒落の幅が拡がり、そのような人々の社会性を保つ上でも有効である。
【００１５】
「他の実施形態」
以下、ピンタイプバックル形状の金具に設ける取付構造について、上記で示したカシメ以外の方法を記すが、これはピンタイプバックル形状の金具の取り付け方法を限定するものではない。図１の実施形態では、ピンタイプバックル形状の金具を取り付ける構造は枠体の裏面に設けたカシメであったが、他の実施形態では、図３及び図４に示すように、金具の裏面に、折り曲げて固定することのできる材質でできた、触れても違和感がない程度の小さな突起物９ないし１２を設け、それを取り付けたい箇所に合わせて差し込み、その裏面において折り曲げるものでも良い。また、図５に示すようにバックル形状金具の側面の延長部１３及び１４を折り曲げ可能な材質・構造にしておき、取り付けたいバンドに合わせてバンドを挟み込むようにして折り曲げるというものでも良い。なお、これらの方法でも既製品への後付けが可能である。
【図面の簡単な説明】
【００１６】
【図１】この発明の一実施形態を示す図である。
【図２】この発明の他の実施形態を示す斜視図である。
【図３】この発明の他の実施形態を示す図である。
【図４】この発明の他の実施形態を示す斜視図である。
【図５】この発明の他の実施形態を示す斜視図である。
【図６】この発明を使用した例を示す図である。
【図７】従来技術を示す図である。
【図８】従来技術を示す図である。
【図９】従来技術を示す斜視図である。
【図１０】従来技術を示す図である。
【図１１】従来技術を示す図である。
【符号の説明】
【００１７】
１  枠体                              
２  ピンの一部を切り取ったもの
３〜６  カシメ                    
７  バンドにあけた穴
８  バンドを膨らました部分          
９〜１２  折り曲げ可能な突起物
１３〜１４  折り曲げ可能な枠体の延長  
１５  軸部に回動自在に取り付けられたピン
１６  軸部                            
１７  軸部に回動自在に取り付けられた板
１８  ボタン                        
１９  バンドにあけた穴
Ａ〜Ｂ  バンド                      
Ｃ〜Ｄ  マジックテープ  
ａ  バンドの端                        
ｂ  発明品  
ｃ  バンドの固定部                    
ｄ  バンドの固定部
ｅ  従来のバックル                    
ｆ  バンドの端
ｇ  バンドの端                      
ｈ  バンドの固定部
ｉ  バンドの端                      
ｊ  バンドの固定部